【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
測定イベントタイマーによって定義された時間の間に前記ＵＥの低電力期間が開始することを決定することと、
前記決定、前記測定イベントタイマーの持続時間、および前記低電力期間の持続時間に少なくとも部分的に基づいて前記低電力期間を変更することと、
前記変更に少なくとも部分的に基づいて、前記測定イベントタイマーに関連した測定報告（ＭＲ）を送信することと
を備える方法。
【請求項２】
前記低電力期間を変更することが、前記低電力期間よりも前記測定イベントタイマーを優先させることを備える、請求項１に記載の方法。
【請求項３】
前記変更することが、前記測定イベントタイマーの前記持続時間と前記低電力期間の前記持続時間との間の差に少なくとも部分的に基づく、請求項１に記載の方法。
【請求項４】
前記測定イベントタイマーの前記持続時間が前記低電力期間の前記持続時間よりも短い、請求項１に記載の方法。
【請求項５】
前記低電力期間を変更することが、
前記ＭＲの送信後、前記ＵＥが前記低電力期間に入り出るために、十分な時間が前記低電力期間に残っていると決定すると、前記測定イベントタイマーの満了まで、前記低電力期間の開始を遅らせること
を備える、請求項１に記載の方法。
【請求項６】
前記低電力期間を変更することが、
前記ＭＲの送信後、前記ＵＥが前記低電力期間に入り出るために、十分な時間が前記低電力期間に残っていないとき、前記低電力期間をスキップすること
を備える、請求項１に記載の方法。
【請求項７】
前記ＵＥのモビリティパラメータがしきい値を超えると、前記変更することが行われる、請求項１に記載の方法。
【請求項８】
前記しきい値が、中または高のＵＥモビリティシナリオの１つを示す、請求項７に記載の方法。
【請求項９】
前記測定イベントタイマーが、トリガ時間（ＴＴＴ）タイマーである、請求項１に記載の方法。
【請求項１０】
前記低電力期間が、接続モード不連続受信（ＣＲＤＸ）ＯＦＦ期間である、請求項１に記載の方法。
【請求項１１】
ユーザ機器（ＵＥ）によるワイヤレス通信のための装置であって、
測定イベントタイマーによって定義された時間の間に前記ＵＥの低電力期間が開始することを決定するための手段と、
前記決定、前記測定イベントタイマーの持続時間、および前記低電力期間の持続時間に少なくとも部分的に基づいて前記低電力期間を変更するための手段と、
前記変更に少なくとも部分的に基づいて、前記測定イベントタイマーに関連した測定報告（ＭＲ）を送信するための手段と
を備える装置。
【請求項１２】
前記低電力期間を変更するための前記手段が、前記低電力期間よりも前記測定イベントタイマーを優先させるための手段を備える、請求項１１に記載の装置。
【請求項１３】
変更するための前記手段が、前記測定イベントタイマーの前記持続時間と前記低電力期間の前記持続時間との間の差に少なくとも部分的に基づく、請求項１１に記載の装置。
【請求項１４】
前記測定イベントタイマーの前記持続時間が前記低電力期間の前記持続時間よりも短い、請求項１１に記載の装置。
【請求項１５】
前記低電力期間を変更するための前記手段が、
前記ＭＲの送信後、前記ＵＥが前記低電力期間に入り出るために、十分な時間が前記低電力期間に残っていると決定すると、前記測定イベントタイマーの満了まで、前記低電力期間の開始を遅らせるための手段
を備える、請求項１１に記載の装置。
【請求項１６】
前記低電力期間を変更するための前記手段が、
前記ＭＲの送信後、前記ＵＥが前記低電力期間に入り出るために、十分な時間が前記低電力期間に残っていないとき、前記低電力期間をスキップするための手段
を備える、請求項１１に記載の装置。
【請求項１７】
前記ＵＥのモビリティパラメータがしきい値を超えると、変更するための前記手段が行われる、請求項１１に記載の装置。
【請求項１８】
前記しきい値が、中または高のＵＥモビリティシナリオの１つを示す、請求項１７に記載の装置。
【請求項１９】
前記測定イベントタイマーが、トリガ時間（ＴＴＴ）タイマーである、請求項１１に記載の装置。
【請求項２０】
前記低電力期間が、接続モード不連続受信（ＣＲＤＸ）ＯＦＦ期間である、請求項１１に記載の装置。
【請求項２１】
少なくとも１つのプロセッサと、命令がその上に記憶された、前記少なくとも１つのプロセッサに結合されたメモリと、送信機とを備える、ユーザ機器（ＵＥ）によるワイヤレス通信のための装置であって、
前記少なくとも１つのプロセッサが、
測定イベントタイマーによって定義された時間の間に前記ＵＥの低電力期間が開始することを決定し、
前記決定、前記測定イベントタイマーの持続時間、および前記低電力期間の持続時間に少なくとも部分的に基づいて前記低電力期間を変更する
ように構成され、
前記送信機が、
前記変更に少なくとも部分的に基づいて、前記測定イベントタイマーに関連した測定報告（ＭＲ）を送信する
ように構成される
装置。
【請求項２２】
前記少なくとも１つのプロセッサが、前記低電力期間よりも前記測定イベントタイマーを優先させることによって、前記低電力期間を変更するように構成される、請求項２１に記載の装置。
【請求項２３】
前記少なくとも１つのプロセッサが、前記測定イベントタイマーの前記持続時間と前記低電力期間の前記持続時間との間の差に少なくとも部分的に基づいて変更するように構成される、請求項２１に記載の装置。
【請求項２４】
前記測定イベントタイマーの前記持続時間が前記低電力期間の前記持続時間よりも短い、請求項２１に記載の装置。
【請求項２５】
前記少なくとも１つのプロセッサが、前記ＭＲの送信後、前記ＵＥが前記低電力期間に入り出るために、十分な時間が前記低電力期間に残っていると決定すると、前記測定イベントタイマーの満了まで、前記低電力期間の開始を遅らせることによって、前記低電力期間を変更するように構成される、請求項２１に記載の装置。
【請求項２６】
前記少なくとも１つのプロセッサが、前記ＭＲの送信後、前記ＵＥが前記低電力期間に入り出るために、十分な時間が前記低電力期間に残っていないとき、前記低電力期間をスキップすることによって、前記低電力期間を変更するように構成される、請求項２１に記載の装置。
【請求項２７】
命令を記憶した、ワイヤレス通信のための非一時的なコンピュータ可読媒体であって、前記命令は、
測定イベントタイマーによって定義された時間の間にユーザ機器（ＵＥ）の低電力期間が開始することを決定することと、
前記決定、前記測定イベントタイマーの持続時間、および前記低電力期間の持続時間に少なくとも部分的に基づいて前記低電力期間を変更することと、
前記変更に少なくとも部分的に基づいて、前記測定イベントタイマーに関連した測定報告（ＭＲ）を送信することと
のために１つまたは複数のプロセッサによって実行可能である、
非一時的なコンピュータ可読媒体。
【請求項２８】
前記低電力期間を変更することが、前記低電力期間よりも前記測定イベントタイマーを優先させることを備える、請求項２７に記載の非一時的なコンピュータ可読媒体。
【請求項２９】
前記低電力期間を変更することが、
前記ＭＲの送信後、前記ＵＥが前記低電力期間に入り出るために、十分な時間が前記低電力期間に残っていると決定すると、前記測定イベントタイマーの満了まで、前記低電力期間の開始を遅らせること
を備える、請求項２７に記載の非一時的なコンピュータ可読媒体。
【請求項３０】
前記低電力期間を変更することが、
前記ＭＲの送信後、前記ＵＥが前記低電力期間に入り出るために、十分な時間が前記低電力期間に残っていないとき、前記低電力期間をスキップすること
を備える、請求項２７に記載の非一時的なコンピュータ可読媒体。
【手続補正２】
【補正対象書類名】明細書
【補正対象項目名】０１５１
【補正方法】変更
【補正の内容】
【０１５１】
[0165]本開示の前の説明は、当業者が本開示を作製または使用することを可能にするために提供される。本開示への様々な変更は当業者には容易に明らかであり、本明細書において定義された一般原理は、本開示の趣旨または範囲から逸脱することなく他の変形形態に適用される場合がある。本開示全体にわたって、「例」または「例示的」という用語は、一例または一事例を示すものであり、言及された例についていかなる選好も暗示せず、または必要としない。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ユーザ機器（ＵＥ）によるワイヤレス通信のための方法であって、
測定イベントタイマーによって定義された時間の間に前記ＵＥの低電力期間が開始することを決定することと、
前記決定、前記測定イベントタイマーの持続時間、および前記低電力期間の持続時間に少なくとも部分的に基づいて前記低電力期間を変更することと、
前記変更に少なくとも部分的に基づいて、前記測定イベントタイマーに関連した測定報告（ＭＲ）を送信することと
を備える方法。
［Ｃ２］
前記低電力期間を変更することが、前記低電力期間よりも前記測定イベントタイマーを優先させることを備える、Ｃ１に記載の方法。
［Ｃ３］
前記変更することが、前記測定イベントタイマーの前記持続時間と前記低電力期間の前記持続時間との間の差に少なくとも部分的に基づく、Ｃ１に記載の方法。
［Ｃ４］
前記測定イベントタイマーの前記持続時間が前記低電力期間の前記持続時間よりも短い、Ｃ１に記載の方法。
［Ｃ５］
前記低電力期間を変更することが、
前記ＭＲの送信後、前記ＵＥが前記低電力期間に入り出るために十分な時間が前記低電力期間に残っていると決定すると、前記測定イベントタイマーの満了まで、前記低電力期間の開始を遅らせること
を備える、Ｃ１に記載の方法。
［Ｃ６］
前記低電力期間を変更することが、
前記ＭＲの送信後、前記ＵＥが前記低電力期間に入り出るために、十分な時間が前記低電力期間に残っていないとき、前記低電力期間をスキップすること
を備える、Ｃ１に記載の方法。
［Ｃ７］
前記ＵＥのモビリティパラメータがしきい値を超えると、前記変更することが行われる、Ｃ１に記載の方法。
［Ｃ８］
前記しきい値が、中または高のＵＥモビリティシナリオの１つを示す、Ｃ７に記載の方法。
［Ｃ９］
前記測定イベントタイマーが、トリガ時間（ＴＴＴ）タイマーである、Ｃ１に記載の方法。
［Ｃ１０］
前記低電力期間が、接続モード不連続受信（ＣＲＤＸ）ＯＦＦ期間である、Ｃ１に記載の方法。
［Ｃ１１］
ユーザ機器（ＵＥ）によるワイヤレス通信のための装置であって、
測定イベントタイマーによって定義された時間の間に前記ＵＥの低電力期間が開始することを決定するための手段と、
前記決定、前記測定イベントタイマーの持続時間、および前記低電力期間の持続時間に少なくとも部分的に基づいて前記低電力期間を変更するための手段と、
前記変更に少なくとも部分的に基づいて、前記測定イベントタイマーに関連した測定報告（ＭＲ）を送信するための手段と
を備える装置。
［Ｃ１２］
前記低電力期間を変更するための前記手段が、前記低電力期間よりも前記測定イベントタイマーを優先させるための手段を備える、Ｃ１１に記載の装置。
［Ｃ１３］
前記変更するための前記手段が、前記測定イベントタイマーの前記持続時間と前記低電力期間の前記持続時間との間の差に少なくとも部分的に基づく、Ｃ１１に記載の装置。
［Ｃ１４］
前記測定イベントタイマーの前記持続時間が前記低電力期間の前記持続時間よりも短い、Ｃ１１に記載の装置。
［Ｃ１５］
前記低電力期間を変更するための前記手段が、
前記ＭＲの送信後、前記ＵＥが前記低電力期間に入り出るために、十分な時間が前記低電力期間に残っていると決定すると、前記測定イベントタイマーの満了まで、前記低電力期間の開始を遅らせるための手段
を備える、Ｃ１１に記載の装置。
［Ｃ１６］
前記低電力期間を変更するための前記手段が、
前記ＭＲの送信後、前記ＵＥが前記低電力期間に入り出るために、十分な時間が前記低電力期間に残っていないとき、前記低電力期間をスキップするための手段
を備える、Ｃ１１に記載の装置。
［Ｃ１７］
前記ＵＥのモビリティパラメータがしきい値を超えると、変更するための前記手段が行われる、Ｃ１１に記載の装置。
［Ｃ１８］
前記しきい値が、中または高のＵＥモビリティシナリオの１つを示す、Ｃ１７に記載の装置。
［Ｃ１９］
前記測定イベントタイマーが、トリガ時間（ＴＴＴ）タイマーである、Ｃ１１に記載の装置。
［Ｃ２０］
前記低電力期間が、接続モード不連続受信（ＣＲＤＸ）ＯＦＦ期間である、Ｃ１１に記載の装置。
［Ｃ２１］
少なくとも１つのプロセッサと、命令がその上に記憶された、前記少なくとも１つのプロセッサに結合されたメモリと、送信機とを備える、ユーザ機器（ＵＥ）によるワイヤレス通信のための装置であって、
前記少なくとも１つのプロセッサが、
測定イベントタイマーによって定義された時間の間に前記ＵＥの低電力期間が開始することを決定し、
前記決定、前記測定イベントタイマーの持続時間、および前記低電力期間の持続時間に少なくとも部分的に基づいて前記低電力期間を変更する
ように構成され、
前記送信機が、
前記変更に少なくとも部分的に基づいて、前記測定イベントタイマーに関連した測定報告（ＭＲ）を送信する
ように構成される
装置。
［Ｃ２２］
前記少なくとも１つのプロセッサが、前記低電力期間よりも前記測定イベントタイマーを優先させることによって、前記低電力期間を変更するように構成される、Ｃ２１に記載の装置。
［Ｃ２３］
前記少なくとも１つのプロセッサが、前記測定イベントタイマーの前記持続時間と前記低電力期間の前記持続時間との間の差に少なくとも部分的に基づいて変更するように構成される、Ｃ２１に記載の装置。
［Ｃ２４］
前記測定イベントタイマーの前記持続時間が前記低電力期間の前記持続時間よりも短い、Ｃ２１に記載の装置。
［Ｃ２５］
前記少なくとも１つのプロセッサが、前記ＭＲの送信後、前記ＵＥが前記低電力期間に入り出るために、十分な時間が前記低電力期間に残っていると決定すると、前記測定イベントタイマーの満了まで、前記低電力期間の開始を遅らせることによって、前記低電力期間を変更するように構成される、Ｃ２１に記載の装置。
［Ｃ２６］
前記少なくとも１つのプロセッサが、前記ＭＲの送信後、前記ＵＥが前記低電力期間に入り出るために、十分な時間が前記低電力期間に残っていないとき、前記低電力期間をスキップすることによって、前記低電力期間を変更するように構成される、Ｃ２１に記載の装置。
［Ｃ２７］
命令を記憶した、ワイヤレス通信のためのコンピュータ可読媒体であって、前記命令は、
測定イベントタイマーによって定義された時間の間にユーザ機器（ＵＥ）の低電力期間が開始することを決定することと、
前記決定、前記測定イベントタイマーの持続時間、および前記低電力期間の持続時間に少なくとも部分的に基づいて前記低電力期間を変更することと、
前記変更に少なくとも部分的に基づいて、前記測定イベントタイマーに関連した測定報告（ＭＲ）を送信することと
のために１つまたは複数のプロセッサによって実行可能である、
コンピュータ可読媒体。
［Ｃ２８］
前記低電力期間を変更することが、前記低電力期間よりも前記測定イベントタイマーを優先させることを備える、Ｃ２７に記載のコンピュータ可読媒体。
［Ｃ２９］
前記低電力期間を変更することが、
前記ＭＲの送信後、前記ＵＥが前記低電力期間に入り出るために、十分な時間が前記低電力期間に残っていると決定すると、前記測定イベントタイマーの満了まで、前記低電力期間の開始を遅らせること
を備える、Ｃ２７に記載のコンピュータ可読媒体。
［Ｃ３０］
前記低電力期間を変更することが、
前記ＭＲの送信後、前記ＵＥが前記低電力期間に入り出るために、十分な時間が前記低電力期間に残っていないとき、前記低電力期間をスキップすること
を備える、Ｃ２７に記載のコンピュータ可読媒体。